(57)【要約】【課題】ハウジングに対する２つの軸受スリーブの組付けを、容易かつ高精度に行い得る方法を提供する。【解決手段】第２軸受スリーブ４を、その下側端面４ｂをハウジング２の下側端面２ｃからの離間距離Ｌ２を確保した状態でハウジング内周面２ａに隙間接着する。その後、第１軸受スリーブ３を、その上側端面３ｂをハウジング２の上側端面２ｂからの離間距離Ｌ１を確保した状態でハウジング内周面２ａに隙間接着する。【選択図】図３
2007327546.tif 000002
【特許請求の範囲】
【請求項１】
ラジアル軸受面を有し、支持すべき軸との間にラジアル軸受隙間を形成する軸受スリーブを、ハウジング内周の軸方向二箇所に固定するに際し、
前記ハウジングの両端を開口させ、
一方の軸受スリーブを、前記ハウジングの一端面からの離間距離を確保した状態で前記ハウジングに隙間接着し、
他方の軸受スリーブを、前記ハウジングの他端面からの離間距離を確保した状態で前記ハウジングに隙間接着することを特徴とする流体軸受装置の製造方法。
【請求項２】
接着剤として、嫌気性接着剤を用いた請求項１記載の流体軸受装置の製造方法。
【請求項３】
前記ラジアル軸受面を拘束した状態で、前記軸受スリーブを隙間接着する請求項１記載の流体軸受装置の製造方法。
【請求項４】
さらに、両軸受スリーブ間にスペーサを備え、該スペーサを、前記ハウジングの端面からの離間距離を確保した状態で前記ハウジングに固定する請求項１記載の流体軸受装置の製造方法。
【発明の詳細な説明】
【技術分野】
【０００１】
本発明は、流体軸受装置の製造方法に関するものである。
【背景技術】
【０００２】
流体軸受装置は、軸受隙間に生じる流体の潤滑膜で支持すべき軸を相対回転自在に支持する軸受装置である。この流体軸受装置は、高速回転、高回転精度、低騒音等の特徴を有するものであり、近年ではその特徴を活かして、情報機器、例えばＨＤＤ、ＦＤＤ等の磁気ディスク装置、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置等に搭載するスピンドルモータ用、また、パーソナルコンピュータ（ＰＣ）などに搭載され、発熱源の冷却を行うファンモータ用等の軸受として広く用いられている。
【０００３】
上記の流体軸受装置には、軸部材をラジアル方向に支持するラジアル軸受部およびスラスト方向に支持するスラスト軸受部が設けられる。例えば、ＨＤＤ用のスピンドルモータに組み込まれる流体軸受装置として、ラジアル軸受部およびスラスト軸受部の双方を、動圧軸受で構成したものが公知である。この場合、軸受スリーブの内周面、あるいはこれに対向する軸部材の外周面の何れか一方には動圧発生部としての動圧溝が形成されると共に、両面間のラジアル軸受隙間にラジアル軸受部が形成される。また、軸部材に設けたフランジ部の両端面、あるいはこれに対向する軸受スリーブの端面・蓋部材の端面の何れか一方に動圧溝が形成されると共に、両面間のスラスト軸受隙間にスラスト軸受部が形成される（例えば、特許文献１参照）。
【０００４】
上記の軸受スリーブは、ハウジング内周の所定箇所に固定される。ハウジングに固定される軸受スリーブとしては、上記特許文献１のように、１つの軸受スリーブの内周に、複数のラジアル軸受面を軸方向に離隔して２箇所設けたものの他、軸受スパンを長大化させモーメント荷重に対する負荷能力（モーメント剛性）を高める目的で、ラジアル軸受面を設けた軸受スリーブを軸方向に２つ重ねたものが知られている（例えば、特許文献２参照）。また、２つの軸受スリーブを離隔して設け、両軸受スリーブ間にスペーサ（間座ともいう）を配設したものも知られている（例えば、特許文献３参照）。
【特許文献１】特開２００３−６５３２４号公報
【特許文献２】特開平１１−２６９４７５号公報
【特許文献３】特開平１１−１５５２５４号公報
【発明の開示】
【発明が解決しようとする課題】
【０００５】
ところで、上記特許文献２、３のように、軸受スリーブを軸方向に２つ並べる場合には、軸受スリーブ相互間での組み付け精度が極めて重要になる。すなわち、軸方向に位置ずれすると、例えば、シール部材や蓋部材の配置スペースを確保できない恐れや、軸受スリーブの端部側に所定のスラスト軸受隙間を形成できない場合がある。一方、軸受スリーブ相互間で径方向に位置ずれすると、ラジアル軸受面相互間の同軸確保を図ることができず、回転精度の悪化や軸受スリーブの偏摩耗等の問題が生じる。しかしながら、各部材には寸法精度のばらつき等が存在するため、これらの位置決めを高精度に行うのは容易ではない。
【０００６】
本発明の課題は、ハウジングに対する軸受スリーブの組み付けを、容易かつ高精度に行い得る流体軸受装置の製造方法を提供することにある。
【課題を解決するための手段】
【０００７】
上記課題を解決するため、本発明は、ラジアル軸受面を有し、支持すべき軸との間にラジアル軸受隙間を形成する軸受スリーブを、ハウジング内周の軸方向二箇所に固定するに際し、ハウジングの両端を開口させ、一方の軸受スリーブを、ハウジングの一端面からの離間距離を確保した状態でハウジングに隙間接着し、他方の軸受スリーブを、ハウジングの他端面からの離間距離を確保した状態でハウジングに隙間接着することを特徴とする流体軸受措置の製造方法を提供する。
【０００８】
上記のように、ハウジングの両端を開口させ、２つの軸受スリーブを、それぞれ、ハウジングの端面からの離間距離を確保した状態で固定することで、ハウジング内周における軸受スリーブの端部側に所定のスペースを確保することができる。従って、例えばシール部材や蓋部材等を軸受スリーブの両端部側に設ける場合、予め必要とされる軸方向寸法を確保した状態で各軸受スリーブを固定すれば、これらを確実にハウジング内周に固定あるいは配置することが可能となる。また、例えば、軸受スリーブの端部側にスラスト軸受部を設ける場合には、回転体（例えば、軸部材のフランジ部等）との間に所定のスラスト軸受隙間を形成することも可能となる。
【０００９】
２つの軸受スリーブは、ハウジングの内周にそれぞれ隙間接着で固定するのが望ましい。隙間接着は、軸受スリーブの外周面とハウジングの内周面との嵌め合いを隙間嵌めとした状態で接着固定する方法であり、例えば軸受スリーブ相互間で肉厚や外周形状にばらつきがあった場合でも、接着隙間でそのばらつきを吸収することができる。例えば圧入を伴う固定方法（圧入、圧入接着等）では、形状のばらつきに起因して、ラジアル軸受面の形状が軸受スリーブの外周面形状等に倣い、これによりラジアル軸受面相互間の同軸確保が難しくなる場合があるが、隙間接着で固定すればこの種の問題は生じない。軸受スリーブを隙間接着する際には、軸受スリーブのラジアル軸受面を拘束した状態としておくのが望ましい。かかる構成とすることにより、ラジアル軸受面を基準とした径方向の位置決めが可能となり、ラジアル軸受面相互間で同軸を保った状態で固定可能となる。
【００１０】
接着剤としては、熱硬化接着剤、紫外線硬化接着剤、常温硬化接着剤等、種々の接着剤を用いることができるが、特別な硬化装置を必要とせず、かつ短時間で硬化可能な常温硬化接着剤を用いるのが望ましい。その中でも特に、空気を遮断する（真空状態にする）ことで確実に接着固定でき、特段の確認作業を排除できる嫌気性接着剤を用いるのが望ましい。
【００１１】
上記構成部材に加え、両軸受スリーブ間にはスペーサを設けることもでき、この場合、スペーサは、ハウジングの端面からの離間距離を確保した状態でハウジングの内周に固定することができる。
【発明の効果】
【００１２】
以上より、本発明によれば、ハウジングに対する軸受スリーブの組み付けを、容易かつ高精度に行うことができる。
【発明を実施するための最良の形態】
【００１３】
以下、本発明の第１実施形態に係る流体軸受装置の製造方法およびこれにより製造される流体軸受装置を図面に基づいて説明する。
【００１４】
図１は、第１の実施形態に係る流体軸受装置１を示している。この流体軸受装置１は、例えばＨＤＤ用のスピンドルモータに組み込んで用いられるものである。この流体軸受装置１は、ハウジング２と、ハウジング内周に設けられた２つの軸受スリーブ（第１軸受スリーブ３、第２軸受スリーブ４）と、第１、第２軸受スリーブ３、４の内周に挿入された軸部材５とを主要な構成部材として備えている。以下、ハウジング２から軸部材５が突出した側を上側、これと軸方向の反対側を下側として説明を行うが、これらは各図における上下方向を便宜的に示すものであり、流体軸受装置の設置方向や使用態様、あるいは後述する製造方法に係る製造装置等の設置方向を限定するものではない。
【００１５】
後述するように、図示例の流体軸受装置１では、第１軸受スリーブ３の内周面３ａと軸部材５の外周面５ａとの間に第１ラジアル軸受部Ｒ１が設けられ、第２軸受スリーブ４の内周面４ａと軸部材５の外周面５ａとの間に第２ラジアル軸受部Ｒ２が設けられる。また、第１軸受スリーブ３の上側端面３ｂとシール部材６の下側端面６ｂとの間に第１スラスト軸受部Ｔ１が設けられ、第２軸受スリーブ４の下側端面４ｂとシール部材７の上側端面７ｂとの間に第２スラスト軸受部Ｔ２が設けられる。
【００１６】
ハウジング２は、例えば、樹脂材料を射出成形して略円筒状に形成され、その内周面２ａは軸方向全長に亘ってストレートな円筒面に形成されている。内周面２ａは、後述する軸受スリーブ３、４の外径寸法よりも大径に形成されている。
【００１７】
ハウジング２を形成する樹脂材料に用いるベース樹脂としては、射出成形可能なものであれば非晶性樹脂・結晶性樹脂を問わず使用可能で、例えば、非晶性樹脂として、ポリサルフォン（ＰＳＵ）、ポリエーテルサルフォン（ＰＥＳ）、ポリフェニルサルフォン（ＰＰＳＵ）、ポリエーテルイミド（ＰＥＩ）等、結晶性樹脂として、液晶ポリマー（ＬＣＰ）、ポリエーテルエーテルケトン（ＰＥＥＫ）、ポリブチレンテレフタレート（ＰＢＴ）、ポリフェニレンサルファイド（ＰＰＳ）等を用いることができる。もちろんこれらは一例にすぎず、使用環境や用途等を考慮してその他のベース樹脂を使用することもできる。また、上記のベース樹脂には、強度アップや導電性付与を目的として、公知の各種充填材を一種又は二種以上配合することもできる。
【００１８】
この他、黄銅やアルミニウム合金等の軟質金属材料、その他の金属材料でハウジング２を形成することもできる。
【００１９】
軸部材５は、ステンレス鋼等の金属材料で形成され、全体として概ね同径の軸状をなしている。さらに、この実施形態では、軸部材５に環状のシール部材６、７が適宜の固定手段、例えば接着又は圧入接着（圧入と接着の併用）により固定されている。これらシール部材６、７は、軸部材５の外周面５ａから外径側に突出した形態となり、それぞれハウジング２の内周面２ａの内周側に収容される。また、軸部材５の外周面５ａのうち、シール部材６、７の固定位置となる領域には、接着剤による固定強度を高めるための接着剤溜りとなる円周溝５ａ１、５ａ２が設けられている。なお、シール部材６、７は、真ちゅう（黄銅）等の軟質金属材料やその他の金属材料で形成しても良いし、樹脂材料で形成しても良い。また、シール部材６、７のうち何れか一方は、軸部材５に一体形成しても良い。
【００２０】
シール部材６の外周面６ａはハウジング２の上端側の内周面２ａとの間に所定容積のシール空間Ｓ１を形成し、シール部材７の外周面７ａはハウジング２の下端側の内周面２ａとの間に所定容積のシール空間Ｓ２を形成する。この実施形態において、シール部材６の外周面６ａ及びシール部材７の外周面７ａは、それぞれハウジング２の外部側に向かって漸次縮径したテーパ面状に形成されている。そのため、シール空間Ｓ１、Ｓ２は、ハウジング２の内部側に向かって漸次縮小したテーパ形状を呈する。
【００２１】
第１、第２軸受スリーブ３、４は共に、例えば、焼結金属からなる多孔質体、特に銅を主成分とする焼結金属の多孔質体で円筒状に形成されている。軸受スリーブ３、４は、焼結金属以外にも銅合金等の金属材料で形成することもできる。
【００２２】
図２（ｂ）に示すように、第１軸受スリーブ３の内周面３ａには、第１ラジアル軸受部Ｒ１のラジアル軸受面Ａとなる領域が形成され、該ラジアル軸受面Ａにはヘリングボーン形状の動圧溝３ａ１が形成されている。このラジアル軸受面Ａは、第２軸受スリーブ４から離反する側（上側）の端部に形成されている。また、内周面３ａのうち、ラジアル軸受面Ａと軸方向に離隔した反対側（下側）の端部には、帯状の凸部Ｂが形成されている。この凸部Ｂは、動圧溝３ａ１を区画形成する丘部と略同径に形成されている。外周面３ｄには、円周方向等間隔に配された複数（図示例は３本）の軸方向溝３ｄ１が形成されている。
【００２３】
第２軸受スリーブ４の内周面４ａには、第２ラジアル軸受部Ｒ２のラジアル軸受面Ａ’となる領域が形成され、このラジアル軸受面Ａ’にはヘリングボーン形状の動圧溝４ａ１が形成されている。このラジアル軸受面Ａ’は、第１軸受スリーブ３から離反する側（下側）の端部に形成されている。また、内周面４ａのうち、ラジアル軸受面Ａ’と軸方向に離隔した反対側（上側）の端部には帯状の凸部Ｂ’が形成されている。この凸部Ｂ’は、動圧溝４ａ１を区画形成する丘部と略同径に形成されている。外周面４ｄには、円周方向等間隔に配された複数（図示例では３本）の軸方向溝４ｄ１が形成されている。
【００２４】
また、図２（ａ）に示すように、第１軸受スリーブ３の上側端面３ｂの一部又は全部環状領域には、第１スラスト軸受部Ｔ１のスラスト軸受面となる領域が形成され、該スラスト軸受面にはヘリングボーン形状の動圧溝３ｂ１が形成されている。
【００２５】
また、図２（ｃ）に示すように、第２軸受スリーブ４の下側端面４ｂの一部又は全部環状領域には、第２スラスト軸受部Ｔ２のスラスト軸受面となる領域が形成され、該スラスト軸受面にはヘリングボーン形状の動圧溝４ｂ１が形成されている。なお、動圧溝３ｂ１、４ｂ１の何れか一方又は双方は、例えばスパイラル形状等、公知のその他の形状に配列してもよい。
【００２６】
本実施形態で、第１軸受スリーブ３は、その上側端面３ｂがハウジング２の上端面２ｂから軸方向にＬ１だけ下方に位置するようにしてハウジング２の内周に固定されている。また、第２軸受スリーブ４は、その下側端面４ｂが、ハウジング２の下端面２ｃから軸方向にＬ２だけ上方に位置するようにしてハウジング２の内周に固定されている。なお、本実施形態において、Ｌ１、Ｌ２は同一寸法である。
【００２７】
以下、上記の構成部材からなる流体軸受装置１の組立方法を、軸受スリーブ３、４をハウジング２の内周に固定する工程を中心に、図面に基づいて説明する。
【００２８】
図３（ａ）（ｂ）は、第１、第２軸受スリーブ３、４をハウジング２の内周に位置決め固定する工程の一例を概念的に示すものである。この工程で用いられる組付け装置１０は、ベース部１２と、該ベース部１２と一体または別体に設けられたピン部１１と、ピン部１１の上端外周に外嵌される円盤部１３とを備えている。ピン部１１の外周面１１ａは、軸受スリーブ３、４を挿入した状態で、両者が相対スライド可能な程度に軸受スリーブ３、４の内周面３ａ、４ａよりも若干量大径に形成されている。
【００２９】
ベース部１２の下部外径側には凹部が設けられており、この凹部内底面１２ｂと上端面１２ａとは、ハウジング２の下側端面２ｃと第２軸受スリーブ４の下側端面４ｂの軸方向離間距離Ｌ２、およびハウジング２の上側端面２ｂと第１軸受スリーブ３の上側端面３ｂの軸方向離間距離Ｌ１と同一寸法に設定されている。
【００３０】
上記の組付け装置１０において、ピン部１１の外周面１１ａ精度は、両軸受スリーブ３、４の内周面３ａ、４ａ間の同軸度を直接左右するので、外周面１１ａは求められる同軸度（例えば、３μｍ以下）を満足できるように仕上げられている。また、ベース部１２の外周面とピン部１１の外周面１１ａとの間の同軸度は、ハウジング２の内周面２ａと軸受スリーブ３、４の内周面間の同軸度（ハウジング２に対する軸受スリーブ３、４の姿勢）を直接左右するので、求められる同軸度を満足できるように仕上げられている。
【００３１】
以上の構成において、まず図３（ａ）に示すように、第２軸受スリーブ４をピン部１１に圧入（軽圧入も含む）、すなわち内周面（ラジアル軸受面Ａ’）を拘束し、その下側端面４ｂをベース部１２の上端面１２ａに当接させる。次いで、ハウジング２の内周面２ａの所定領域に接着剤を塗布した状態で、ハウジング２の下側端面２ｃをベース部１２の凹部内底面１２ｂに当接させるようにして第２軸受スリーブ４の外径側に配置する。そして、その内周面および下端面１３ａでハウジング２の外周面および上側端面２ｂを拘束するように円盤部１３をピン部１１に外嵌する。
【００３２】
なお、接着剤としては、熱硬化接着剤、光硬化性接着剤、常温硬化性接着剤等を用いることができるが、本実施形態では、特段の硬化装置を要さず、かつ短時間で硬化可能な常温硬化性接着剤、特にその中でも、空気を遮断することで確実に接着固定でき、特段の確認作業を排除可能な嫌気性接着剤を用いている。
【００３３】
上述したように、第２軸受スリーブ４の内周面４ａのうち、ラジアル軸受面Ａ’から軸方向に離隔した領域にはラジアル軸受面Ａ’と略同径の凸部Ｂ’が設けられている。従って、上記の態様で組付けを行うことにより、ハウジング２の内周面２ａに対する第２軸受スリーブ４の内周面４ａの同軸確保が図られる。そして、この状態で空気を遮断すると接着剤が固化し、これにより、ハウジング２の下側端面２ｃから、その下側端面４ｂが軸方向にＬ２だけ離隔した箇所に位置するようにして、ハウジング２の内周面２ａに第２軸受スリーブ４が接着固定される。
【００３４】
上記の組付け品を一旦組付け装置１０から取り外す。次いで図３（ｂ）に示すように、第１軸受スリーブ３をピン部１１に圧入し、上側端面３ｂをベース部１２の上端面１２ａに当接させる。そして、上記の組付け品の天地を逆にし、ハウジング２の内周面２ａの所定領域に接着剤を塗布した状態で、ハウジング２の上側端面２ｂをベース部１２の凹部内底面１２ｂに当接させるように組付け品を第１軸受スリーブ３の外径側に配置する。この状態で空気を遮断すると接着剤が固化し、これにより、ハウジング２の上側端面２ｂから、その上側端面３ｂが軸方向にＬ１だけ離隔した箇所に位置するようにして第１軸受スリーブ３が接着固定される。
【００３５】
このとき、上記同様、第１軸受スリーブ３の内周面３ａにもラジアル軸受面Ａ’と略同径の凸部Ｂ’が設けられているので、ハウジング２の内周面２ａに対する第１軸受スリーブ３の内周面３ａの同軸確保が図られる。また、第１軸受スリーブ３および第２軸受スリーブ４は共にピン部１１に圧入状態となっているから、第１軸受スリーブ３のラジアル軸受面Ａと第２軸受スリーブ４のラジアル軸受面Ａ’との間の同軸確保がなされる。なお、図３（ｂ）に示す状態では、ピン部１１の上部外径側に第２軸受スリーブ４が位置する分、図３（ａ）に示す工程のようにピン部１１の上端部に上記円盤部１３を外嵌しなくとも、ハウジング２の姿勢は悪化せず、求められる精度は確保できる。もちろん、第２軸受スリーブ４をハウジング２に固定する場合と同様、ピン部１１の上端部に円盤部１３を外嵌してもよい。
【００３６】
ところで、上述のように、ハウジング２の内周面２ａは両軸受スリーブ３、４の外周面３ｄ、４ｄよりも大径に形成されているから、ハウジング２に対する両軸受スリーブ３、４の接着固定は、いわゆる隙間接着となる。隙間接着で固定することで、仮に軸受スリーブ３、４相互間で径方向に形状のばらつきがあった場合でも、接着隙間でそのばらつきを吸収することができ、両ラジアル軸受面Ａ，Ａ’間における同軸確保は確実に行い得る。なお、上記接着隙間の幅は、これが大きすぎると接着強度の低下を招き、逆に小さすぎると径方向の調整代が少なくなる。そのため接着隙間の幅は１０μｍ〜５０μｍ、より好ましくは１５μｍ〜２０μｍ程度に設定されている。
【００３７】
なお、以上の説明では、第２軸受スリーブ４を先にハウジング内周面２ａに固定したが、もちろん、第１軸受スリーブ３をハウジング２に固定した後、第２軸受スリーブ４をハウジング２に固定してもよい。また、ハウジング２の内周面２ａではなく、各軸受スリーブ３、４の外周面に接着剤を塗布した上で、上記の組付け工程を行ってもよい。さらに本実施形態では、ハウジング２の両端面から軸受スリーブ３、４の一端面３ｂ、４ｂまでの離間距離Ｌ１、Ｌ２が同一の場合について説明を行ったが、これらが異なる場合には、上端面１２ａと凹部内底面１２ｂとの離間距離が異なるベース部１２を用いれば、上記同様に、ハウジング２端面から所定の離間距離を保った状態で各軸受スリーブ３、４をハウジング内周面２ａに固定することができる。
【００３８】
以上のようにして両軸受スリーブ３，４をハウジング２に固定する結果、第１、第２軸受スリーブ３、４の端部側には所定のスペースが確保されると共に両ラジアル軸受面Ａ、Ａ’間の同軸が確保される。そして、両軸受スリーブ３、４の内周に軸部材５を挿入し、所定のアキシャル隙間（軸方向隙間）幅を保った状態で両シール部材６、７を軸部材５の所定箇所（円周溝５ａ１、５ａ２の外周）に固定する。なお、シール部材６、７のうちの何れか一方は、挿入前に予め軸部材５に固定しておいても良いし、軸部材５に一体形成しても良い。
【００３９】
上記の工程を経て組立が完了した後、シール部材６、７でシールされたハウジング２の内部空間に、両軸受スリーブ３，４の内部気孔（多孔質体組織の内部気孔）も含め、潤滑流体として例えば潤滑油を充填する。潤滑油の充填は、例えば組立が完了した流体軸受装置１を真空槽内で潤滑油中に浸漬した後、大気圧に開放することにより行うことができる。
【００４０】
なお、上記の態様で両軸受スリーブ３、４をハウジング２の内周面２ａに固定する結果、図１〜３に示すように、第１軸受スリーブ３の下側端面３ｃと第２軸受スリーブ４の上側端面４ｃとの間に僅かな隙間ができる場合がある。もちろん、第１、第２軸受スリーブ３、４やハウジング２の軸方向寸法によっては、両軸受スリーブ３、４が当接する場合もある。
【００４１】
上記構成の流体軸受装置１において、軸部材５が回転すると、第１軸受スリーブ３の内周面３ａのラジアル軸受面Ａは、軸部材５の外周面５ａとラジアル軸受隙間を介して対向する。ラジアル軸受面Ａでは、ラジアル軸受隙間に充満された潤滑油が動圧溝３ａ１の動圧作用によってその圧力を高められ、この圧力によって軸部材２がラジアル方向に回転自在に非接触支持される。また、本実施形態では、凸部Ｂと軸部材５の外周面５ａとの間にラジアル軸受隙間が形成され、このラジアル軸受隙間には、第１軸受スリーブ３から滲み出した油で油膜が形成され、この油膜で軸部材５がラジアル方向に回転自在に支持される。これにより、動圧軸受および真円軸受で軸部材５をラジアル方向に回転自在に非接触支持する第１ラジアル軸受部Ｒ１が構成される。第２軸受スリーブ４でも同様に、ラジアル軸受面Ａ’によって動圧軸受が、また凸部Ｂによって真円軸受が形成され、軸部材５をラジアル方向に回転自在に非接触支持する第２ラジアル軸受部Ｒ２が構成される。
【００４２】
また、軸部材５が回転すると、第１軸受スリーブ３の上側端面３ｂのスラスト軸受面がシール部材６の下側端面６ｂと所定のスラスト軸受隙間を介して対向し、第２軸受スリーブ４の下側端面４ｂのスラスト軸受面がシール部材７の上側端面７ｂと所定のスラスト軸受隙間を介して対向する。そして軸部材２の回転に伴い、各スラスト軸受隙間に充満された潤滑油は、動圧溝３ｂ１、４ｂ１の動圧作用によってその圧力が高められ、軸部材５が両スラスト方向に回転自在に非接触支持される。これにより、軸部材５を両スラスト方向に回転自在に非接触支持する第１スラスト軸受部Ｔ１と第２スラスト軸受部Ｔ２とが形成される。
【００４３】
また、軸部材５の回転時には、上述のように、シール部材６、７の外周側に形成されるシール空間Ｓ１、Ｓ２が、ハウジング２の内部側に向かって漸次縮小したテーパ形状を呈しているため、両シール空間Ｓ１、Ｓ２内の潤滑油は毛細管力による引き込み作用と、回転時の遠心力による引き込み作用とにより、シール空間が狭くなる方向、すなわちハウジング２の内部側に向けて引き込まれる。これにより、ハウジング２の内部からの潤滑油の漏れ出しが効果的に防止される。また、シール空間Ｓ１、Ｓ２は、ハウジング２の内部空間に充填された潤滑油の温度変化に伴う容積変化量を吸収するバッファ機能を有し、想定される温度変化の範囲内では、潤滑油の油面は常にシール空間Ｓ１、Ｓ２内にある。
【００４４】
また、第１軸受スリーブ３の軸方向溝３ｄ１によって形成される流体通路、第２軸受スリーブ４の軸方向溝４ｄ１によって形成される流体通路、各軸受隙間（第１ラジアル軸受部Ｒ１及び第２ラジアル軸受部Ｒ２のラジアル軸受隙間、第１スラスト軸受部Ｔ１及び第２スラスト軸受部Ｔ２のスラスト軸受隙間）により、ハウジング２の内部に一連の循環通路が形成される。そして、ハウジング２の内部空間に充填された潤滑油がこの循環通路を介して流動循環することにより、潤滑油の圧力バランスが保たれると同時に、局部的な負圧の発生に伴う気泡の生成、気泡の生成に起因する潤滑油の漏れや振動の発生等が防止される。また、第１軸受スリーブ３の軸方向溝３ｄ１によって形成される流体通路の一端と、第２軸受スリーブ４の軸方向溝４ｄ１によって形成される流体通路の一端は、それぞれ、大気開放側となるシール空間Ｓ１、Ｓ２に通じている。そのため、何らかの理由で潤滑油中に気泡が混入した場合でも、気泡が潤滑油に伴って循環する際に外気開放側に排出されるので、気泡による悪影響はより一層効果的に防止される。
【００４５】
図４は、本発明に係る製造方法により製造される流体軸受装置の第２実施形態を示している。この実施形態の流体軸受装置２１が図１に示す流体軸受装置１と異なる点は、第１および第２の軸受スリーブ３、４間にリング状のスペーサ８を介装した点にある。このスペーサ８は、ハウジング内周面２ａのうち、その下側端面８ｃがハウジング２の下側端面２ｃから軸方向にＬ３だけ離隔した箇所に固定されている。スペーサ８は、黄銅等の軟質金属材料やその他の金属材料、樹脂材料、あるいは焼結金属材料で両軸受スリーブ３、４よりも内径寸法が大径に形成される。従って、このスペーサ８の内周面８ａと軸部材５の外周面５ａとの間にラジアル軸受隙間は形成されない。なお、その他の事項は、第１の実施形態に準じるので、実質的に同一の部材及び部位には同一の符号を付して重複説明を省略する。
【００４６】
以下、上記構成の流体軸受装置２１の組立工程を、軸受スリーブ３、４、およびスペーサ８をハウジング２の内周に位置決め固定する工程（図５（ａ）〜（ｃ））を中心に説明する。なお、工程説明においても、図３（ａ）（ｂ）と実質的に同一の構成については、共通の参照番号を付与し重複説明を省略する。
【００４７】
まず、図５（ａ）に示すように、スペーサ８を、その下側端面８ｃがハウジング２の下側端面２ｃから軸方向にＬ３だけ離隔するようにして、ハウジング２の内周面２ａに、例えば隙間接着する。この場合、図３に示す構成と異なり、その上端面１４ａと凹部内底面１４ｂとの離間距離がＬ３に等しいベース部１４を用いることにより、上記の態様でスペーサ８が固定される。ところで、スペーサ８は、その内周面８ａが軸受スリーブ３、４よりも大径に形成され、その内周側にラジアル軸受隙間を形成しないため、径方向の固定精度はさほど問題とならない。そのため、スペーサ８は、軸受スリーブ３、４同様に隙間接着する以外にも、例えば圧入、圧入接着等でハウジング内周面に固定することもできる。
【００４８】
スペーサ８の固定後、一旦上記の組付け品を取り外し、図５（ｂ）に示すように、スペーサ８の下方に、第２軸受スリーブ４をハウジング２の内周面２ａに固定（隙間接着）する。固定後、第２軸受スリーブ４が組みつけられた組付け品を取り外し、図５（ｃ）に示すように、ハウジング２の他端側内周面２ａに第１軸受スリーブ３を固定（隙間接着）する。このようにしてハウジング２の内周面２ａに組付けられた軸受スリーブ３、４、およびスペーサ８の内周に軸部材５を挿入し、所定のアキシャル隙間幅を保った状態でシール部材６、７を軸部材５の所定箇所に固定し、さらにその後ハウジング２の内部空間に潤滑油を充満させることにより、図４に示す流体軸受装置２１が完成する。
【００４９】
上記の態様で、両軸受スリーブ３、４およびスペーサ８を固定することにより、両軸受スリーブ３、４の内周面間での同軸確保、およびハウジング２に対する両軸受スリーブ３、４の同軸確保を図ることができると共に、各部材はハウジング２の端面から所定の離間距離を確保した状態で固定することができる。なお、上記の態様で両軸受スリーブ３、４およびスペーサ８をハウジング２の内周面２ａに固定する結果、図４に示すように、第１軸受スリーブ３とスペーサ８との間、および第２軸受スリーブ４とスペーサ８との間に僅かな隙間ができる場合がある。もちろん、両軸受スリーブ３、４、スペーサ８、およびハウジング２の軸方向寸法によっては、両軸受スリーブ３、４とスペーサ８とが当接する場合もある。
【００５０】
以上の説明では、流体軸受装置１、２１のラジアル軸受部Ｒ１、Ｒ２およびスラスト軸受部Ｔ１、Ｔ２として、ヘリングボーン形状やスパイラル形状等の動圧溝によって潤滑油の動圧作用を発生させる構成を例示しているが、ラジアル軸受部Ｒ１、Ｒ２の一方又は双方は、例えば、ラジアル軸受面となる領域に複数の軸方向溝を円周方向等間隔に設けた、いわゆるステップ軸受や、ラジアル軸受面となる領域に複数の円弧面を設けた、いわゆる多円弧軸受を採用しても良い。また、スラスト軸受部Ｔ１、Ｔ２の一方又は双方は、例えば、スラスト軸受面となる領域に複数の半径方向溝を円周方向所定間隔に設けた、いわゆるステップ軸受や波型軸受（ステップ型が波型になったもの）等を採用しても良い。
【００５１】
また、以上の説明では、第１ラジアル軸受部Ｒ１および第２ラジアル軸受部Ｒ２の双方を動圧軸受で構成する形態を例示したが、第１のラジアル軸受部Ｒ１および第２のラジアル軸受部Ｒ２の一方又は双方を真円軸受で構成することもできる。
【００５２】
また、以上の説明では、流体軸受装置１の内部に充満する流体として、潤滑油を例示したが、それ以外にも各軸受隙間に動圧を発生させることができる流体、例えば空気等の気体や、磁性流体等を使用することもできる。
【００５３】
以上の構成からなる流体軸受装置は、特に、高速回転し、高いモーメント剛性が要求されるモータ、例えばサーバ用ＨＤＤのスピンドルモータに好ましく用いることができる。
【図面の簡単な説明】
【００５４】
【図１】本発明の第１実施形態に係る製造方法により製造された流体軸受装置を示す断面図である。
【図２】（ａ）図はハウジングに軸受スリーブを固定した状態を示す上面図、（ｂ）図はその断面図、（ｃ）図はその下面図である。
【図３】本発明の第１実施形態に係る製造工程を示す概略図である。
【図４】本発明の第２実施形態に係る製造方法により製造された流体軸受装置を示す断面図である。
【図５】本発明の第２実施形態に係る製造工程を示す概略図である。
【符号の説明】
【００５５】
１、２１    流体軸受装置
２    ハウジング
３    第１軸受スリーブ
４    第２軸受スリーブ
６、７    シール部材
８    スペーサ
１０  組付け装置
１１  ピン部
１２  ベース部
Ａ、Ａ’  ラジアル軸受面
Ｌ１、Ｌ２、Ｌ３  軸方向離間距離
Ｒ１、Ｒ２  ラジアル軸受部
Ｔ１、Ｔ２  スラスト軸受部
Ｓ１、Ｓ２  シール空間
【図１】
2007327546.tif 000003
【図２】
2007327546.tif 000004
【図３】
2007327546.tif 000005
【図４】
2007327546.tif 000006
【図５】
2007327546.tif 000007